(57)【要約】      （修正有）【課題】人体の上半身の筋肉又は腱を伸ばす動作を正確に行い、運動障害の発生を防ぎながら、運動又はリハビリの効果を高めることができる身体伸長器を提供する。【解決手段】身体伸長器は、フレーム１０、握持部材２０及びシート３０を備える。フレーム１０は、ベース１１と、ベースの端部に設けられて上方へ延びた立杆１２と、を含む。握持部材２０は、立杆の上端に結合され、ユーザが両手で握る２つの握持部２３を有し、握持部は、ホルダ２１が枢軸２２を軸心として左右に回転自在であることにより立杆の対をなす側部で上下方向へ変位する。シート３０は、ユーザが座るために用い、ベースに中央部が枢着され、ベース上で揺動して右方向又は左方向へ傾く。【選択図】図１
0003185573.tif 000002
【実用新案登録請求の範囲】
【請求項１】
フレーム、握持部材及びシートを備えた身体伸長器であって、
前記フレームは、ベースと、前記ベースの端部に設けられて上方へ延びた立杆と、を含み、
前記握持部材は、前記立杆の上端に結合され、ユーザが両手で握る２つの握持部を有し、前記握持部は、前記立杆の対をなす側部で上下方向へ変位し、
前記シートは、ユーザが座るために用い、前記ベースに中央部が枢着され、前記ベース上で揺動して右方向又は左方向へ傾くことを特徴とする身体伸長器。
【請求項２】
前記ベースは、水平に配設された支持杆を有し、
前記支持杆上には、枢着座が設けられ、
前記シートの底部中央部には、軸スリーブと、前記軸スリーブ及び前記枢着座に挿設される軸杆と、が設けられ、前記シートが前記軸杆を中心に前記枢着座上で揺動して右方向又は左方向へ傾くことを特徴とする請求項１に記載の身体伸長器。
【請求項３】
前記支持杆上に設けられ、前記シートを水平状態に固定する位置決めモジュールをさらに備えることを特徴とする請求項２に記載の身体伸長器。
【請求項４】
前記枢着座と前記シートとの間に設けられ、弾性回復力により前記シートを常態下で水平状態に維持する２つの弾性部材をさらに備えることを特徴とする請求項３に記載の身体伸長器。
【請求項５】
前記支持杆は、前記枢着座中に直立に貫設され、
前記位置決めモジュールは、つまみ及び位置決めリングを含み、
前記つまみは、前記支持杆の底部に位置し、ねじ中に螺設されたリードスクリューを有し、
前記位置決めリングは、前記ねじの上端に配設され、前記リードスクリューの上端が当接されて上下方向へ変位し、前記位置決めリングの頂面には、前記軸スリーブの下側が当接されて位置決めを行う位置決め凹槽が設けられていることを特徴とする請求項４に記載の身体伸長器。
【請求項６】
前記枢着座上には、２つのストッパが設けられ、
前記シートの底面には、２つの緩衝ブロックが設けられ、
前記シートが右方向又は左方向へ揺動して所定の角度になるまで傾くと、前記ストッパが前記緩衝ブロック上にそれぞれ当接されることを特徴とする請求項４に記載の身体伸長器。
【請求項７】
前記立杆は、外管、内管及び調整ダイヤルを含み、
前記内管の下端は、前記外管中に伸縮自在に挿設され、
前記調整ダイヤルは、前記内管を適宜な伸縮長さにする前記外管上に設置されることを特徴とする請求項４に記載の身体伸長器。
【請求項８】
前記立杆は、延伸管を含み、
前記延伸管は、前記内管の上端に横向きに設けられ、２つのブッシュが両端に設けられ、
前記握持部材は、ホルダと、前記ホルダの中央部から側部に向かって横向きに延びた枢軸と、を含み、前記ホルダの両端部には、握持部がそれぞれ設けられ、枢軸が前記ブッシュに回転自在に挿設され、前記ホルダは、前記枢軸を軸心として前記延伸管に対して左右に揺動自在であることを特徴とする請求項７に記載の身体伸長器。
【請求項９】
前記立杆は、延伸管、ローラ杆及び２つのローラを含み、
前記延伸管は、前記内管の上端で横向きに配設され、
前記ローラ杆は、水平に配設され、前記延伸管の端部に中央部が接続され、
前記ローラは、前記ローラ杆の両端に回転自在に接続され、周面に車輪溝が設けられ、
前記握持部材は、前記ローラの前記車輪溝の上側に巻き掛けられ、両端が前記ローラの互いに対をなす外側に垂れ下げられたロープを含み、
前記握持部は、前記ロープの両端の前記ハンドルにそれぞれ結合されることを特徴とする請求項７に記載の身体伸長器。
【請求項１０】
前記ローラ杆上には、前記ローラの前記車輪溝中に前記ロープの位置を拘束する、前記２つのローラの上側まで延びた２つのリミッタ部材がそれぞれ設けられることを特徴とする請求項９に記載の身体伸長器。
【考案の詳細な説明】
【技術分野】
【０００１】
本考案は、身体伸長器に関し、特に、人体の上半身の筋肉又は腱を伸ばす動作を正確に行い、運動障害の発生を防ぎながら、運動又はリハビリの効果を高めることができる身体伸長器に関する。
【背景技術】
【０００２】
従来の身体伸長器（例えば、特許文献１〜３）のほとんどは、足などの下半身の筋肉又は腱を伸ばすために用いるものであった。従来、上半身の筋肉又は腱を伸ばす運動は自ら両手を上へ向けて力を入れる動作を行う運動が一般的であるが、自ら両手を上へ向け、力を入れる動作を行う場合、大きな力が必要で継続的に行うことが困難な上、動作も不正確となり易かった。特に、体を伸ばす際、加える力を制御することが困難であるため、運動時間が短く、効果が理想的でなく、加える力が大きすぎる場合、筋肉、腰などを傷めて運動障害が発生する虞があった。
【先行技術文献】
【特許文献】
【０００３】
【特許文献１】台湾実用新案登録第４３８２９６号公報
【特許文献２】台湾実用新案登録第４０８３８６号公報
【特許文献３】台湾実用新案登録第４０２１１７号公報
【考案の概要】
【考案が解決しようとする課題】
【０００４】
従来技術の身体伸長器の大部分は足だけに対して自分の両手で上向きに伸ばして身体の上半身の筋肉及び腱を伸ばすが、多くの力が必要で持続することが困難な上、動作が不正確になり易く、姿勢が不安定となったり加える力が大きくなりすぎたりする問題が生じ、筋肉及び筋を効果的に伸ばして運動障害などが発生し易いという問題点があった。
そのため、本考案の目的は、従来技術の問題点を改善する身体伸長器を提供することにある。
【課題を解決するための手段】
【０００５】
上記課題を解決するために、本考案の第１の形態によれば、フレーム、握持部材及びシートを備えた身体伸長器であって、前記フレームは、ベースと、前記ベースの端部に設けられて上方へ延びた立杆と、を含み、前記握持部材は、前記立杆の上端に結合され、ユーザが両手で握る２つの握持部を有し、前記握持部は、前記立杆の対をなす側部で上下方向へ変位し、前記シートは、ユーザが座るために用い、前記ベースに中央部が枢着され、前記ベース上で揺動して右方向又は左方向へ傾くことを特徴とする身体伸長器が提供される。
【０００６】
前記ベースは、水平に配設された支持杆を有し、前記支持杆上には、枢着座が設けられ、前記シートの底部中央部には、軸スリーブと、前記軸スリーブ及び前記枢着座に挿設される軸杆と、が設けられ、前記シートが前記軸杆を中心に前記枢着座上で揺動して右方向又は左方向へ傾くことが好ましい。
【０００７】
前記支持杆上に設けられ、前記シートを水平状態に固定する位置決めモジュールをさらに備えることが好ましい。
【０００８】
前記枢着座と前記シートとの間に設けられ、弾性回復力により前記シートを常態下で水平状態に維持する２つの弾性部材をさらに備えることが好ましい。
【０００９】
前記支持杆は、前記枢着座中に直立に貫設され、前記位置決めモジュールは、つまみ及び位置決めリングを含み、前記つまみは、前記支持杆の底部に位置し、ねじ中に螺設されたリードスクリューを有し、前記位置決めリングは、前記ねじの上端に配設され、前記リードスクリューの上端が当接されて上下方向へ変位し、前記位置決めリングの頂面には、前記軸スリーブの下側が当接されて位置決めを行う位置決め凹槽が設けられていることが好ましい。
【００１０】
前記枢着座上には、２つのストッパが設けられ、前記シートの底面には、２つの緩衝ブロックが設けられ、前記シートが右方向又は左方向へ揺動して所定の角度になるまで傾くと、前記ストッパが前記緩衝ブロック上にそれぞれ当接されることが好ましい。
【００１１】
前記立杆は、外管、内管及び調整ダイヤルを含み、前記内管の下端は、前記外管中に伸縮自在に挿設され、前記調整ダイヤルは、前記内管を適宜な伸縮長さにする前記外管上に設置されることが好ましい。
【００１２】
前記立杆は、延伸管を含み、前記延伸管は、前記内管の上端に横向きに設けられ、２つのブッシュが両端に設けられ、前記握持部材は、ホルダと、前記ホルダの中央部から側部に向かって横向きに延びた枢軸と、を含み、前記ホルダの両端部には、握持部がそれぞれ設けられ、枢軸が前記ブッシュに回転自在に挿設され、前記ホルダは、前記枢軸を軸心として前記延伸管に対して左右に揺動自在であることが好ましい。
【００１３】
前記立杆は、延伸管、ローラ杆及び２つのローラを含み、前記延伸管は、前記内管の上端で横向きに配設され、前記ローラ杆は、水平に配設され、前記延伸管の端部に中央部が接続され、前記ローラは、前記ローラ杆の両端に回転自在に接続され、周面に車輪溝が設けられ、前記握持部材は、前記ローラの前記車輪溝の上側に巻き掛けられ、両端が前記ローラの互いに対をなす外側に垂れ下げられたロープを含み、前記握持部は、前記ロープの両端の前記ハンドルにそれぞれ結合されることが好ましい。
【００１４】
前記ローラ杆上には、前記ローラの前記車輪溝中に前記ロープの位置を拘束する、前記２つのローラの上側まで延びた２つのリミッタ部材がそれぞれ設けられることが好ましい。
【考案の効果】
【００１５】
本考案の身体伸長器は、ユーザが握持部材を握って上下に移動させ、シートにユーザが座って左右に傾けて揺動させることにより、筋肉又は腱を伸ばしたりリハビリを行ったりすることができるため、少ない力で操作できる。これによりユーザは運動又はリハビリに対する興味が高まり、特にユーザの使用時間が延びて効率的に筋肉及び腱を伸ばすことができる。また、握持部材を利用する際、ユーザの両手の運動経路が特定範囲内に制限され、シートによりユーザの臀部の揺動傾斜角度が特定範囲に制限されるため、筋肉及び腱を伸ばす動作を一致させ、筋肉及び腱を効果的に伸ばし、特に、ユーザが力を入れすぎたときに運動障害が発生することを防いで安全性を高めることができる。
【図面の簡単な説明】
【００１６】
【図１】図１は、本考案の一実施形態に係る身体伸長器を示す分解斜視図である。
【図２】図２は、本考案の一実施形態に係る身体伸長器を示す斜視図である。
【図３】図３は、本考案の一実施形態に係る身体伸長器を使用してユーザが左上半身を伸ばす動作を行うときの状態を示す模式図である。
【図４】図４は、本考案の一実施形態に係る身体伸長器を使用してユーザが左上半身を伸ばす動作を行うときの状態を示す部分拡大図である。
【図５】図５は、本考案の一実施形態に係る身体伸長器を使用してユーザが右上半身を伸ばすときの状態を示す模式図である。
【図６】図６は、本考案の一実施形態に係る身体伸長器を使用してユーザが左上半身を伸ばすときの状態を示す部分拡大図である。
【図７】図７は、本考案のシートが水平状態に固定されたときの状態を示す模式図である。
【図８】図８は、本考案の他の実施形態に係る身体伸長器を示す分解斜視図である。
【考案を実施するための形態】
【００１７】
以下、本考案の実施形態について図に基づいて説明する。なお、これによって本考案が限定されるものではない。
【００１８】
図１〜図４を参照する。図１〜図４に示すように、本考案の一実施形態に係る身体伸長器は、少なくともフレーム１０、握持部材２０、シート３０、２つの弾性部材４０及び位置決めモジュール５０から構成される。
【００１９】
フレーム１０は、ベース１１と、ベース１１の端部に設けられ上方へ延びた立杆１２と、を含む。ベース１１は、水平に配設された支持杆１３を有する。支持杆１３上には、枢着座１３０と、枢着座１３０中に挿設されたねじ１３１とが設けられ、枢着座１３０の両側には、２つのストッパ１３２がそれぞれ配置される。立杆１２は、外管１４、内管１５、調整ダイヤル１６及び延伸管１７を含む。内管１５の下端は、外管１４中に伸縮自在に挿設される。調整ダイヤル１６は、内管１５を適宜な伸縮長さにする外管１４上に設置され、様々な身長のユーザに対応することができるようにする。延伸管１７は、内管１５の上端に横向きで設置され、２つのブッシュ１７０が両端に設けられる。
【００２０】
握持部材２０は、ホルダ２１と、ホルダ２１の中央部から側部に向かって延びた枢軸２２と、を含む。ホルダ２１の両端部には、ユーザが両手でそれぞれ握ることができる握持部２３が設けられる。枢軸２２は、２つのブッシュ１７０に回転自在に挿設され、結合ボルト２４を介して螺合され、ホルダ２１は、枢軸２２を軸心として延伸管１７に対して左右に揺動自在であり、２つの握持部２３を握る左右の手を立杆１２の２つの互いに対をなす側部で上下方向へ変位させることができる。
【００２１】
シート３０には、ユーザが座る。シート３０の底面には、軸スリーブ３１、軸杆３２及び２つの緩衝ブロック３３が設けられている。軸スリーブ３１は、中空管状を呈し、シート３０の中央部に位置し、軸ブッシュ３１０が両端に設けられている。軸杆３２は、軸スリーブ３１の軸ブッシュ３１０中と枢着座１３０上に挿設される。シート３０は、軸杆３２を軸心として枢着座１３０上で揺動自在であり、右方向又は左方向に傾いた状態となる。２つの緩衝ブロック３３は、振動防止機能を備えた材料（例えば、ゴムなど）からなり、軸スリーブ３１の互いに対をなす側部に設けられ、シート３０が右方向又は左方向に所定の角度（約３０度）で揺動すると、２つの緩衝ブロック３３が２つのストッパ１３２に当接される。
【００２２】
２つの弾性部材４０は、２つのトーションバネであり、軸スリーブ３１上に反対方向で外嵌され、枢着座１３０及びシート３０の底面に両端がそれぞれ当接され、生じる弾性回復力によりシート３０が常態下で力を受けないときに水平状態に維持される。
【００２３】
位置決めモジュール５０は、つまみ５１及び位置決めリング５２を含む。つまみ５１は、支持杆１３の下方に位置し、ねじ１３１中に螺設されたリードスクリュー５３を有する。位置決めリング５２は、ねじ１３１の上端に配設され、リードスクリュー５３の上端が当接されて上下方向へ変位し、位置決めリング５２の頂面には、軸スリーブ３１の下側に当接させて位置決めする位置決め凹槽５４が設けられている。
【００２４】
図３及び図４を参照する。図３及び図４に示すように、ユーザがシート３０上に座る際、両手でホルダ２１の２つの握持部２３をそれぞれ握り、臀部の左側を下向きに力を加え、シート３０が２つの弾性部材４０の弾力を克服すると、軸杆３２を軸心としてシート３０の底面左側の緩衝ブロック３３が左側のストッパ１３２上に当接されるまで、ユーザの左下側へ向けて傾け、シート３０を左側に約３０度傾けた状態にする。同時にユーザが右手に力を加えると、ホルダ２１の右側の握持部２３を引っ張って下方へ変位させ、左手でホルダ２１左側の握持部２３を持って持ち上げる。このように、ユーザの上半身右側が収縮状態となり、左側が伸びた状態となり、上半身左側の筋肉及び腱を伸ばすことができる。臀部左側を下向きに力を加えて止めると、シート３０が２つの弾性部材４０の弾性回復力により水平状態に戻る。
【００２５】
図５及び図６を参照する。図５及び図６に示すように、ユーザがシート３０上に座る際、両手でホルダ２１の２つの握持部２３を握り、臀部の右側から下向きに力を加えてシート３０により２つの弾性部材４０の弾性回復力に打ち勝ち、シート３０の底面右側の緩衝ブロック３３が右側のストッパ１３２上に当接されるまで、軸杆３２を軸心としてユーザの右下側へ揺動させ、シート３０を右方向へ３０度傾けた状態にする。ユーザは同時に右手に力を加え、ホルダ２１の左側の握持部２３を下方へ向けて変位させ、右手によりホルダ２１右側の握持部２３から上方へ上昇させる。このようにユーザが上半身左側を収縮しながら右側を伸ばすため、上半身右側の筋肉及び腱を伸ばすことができる。臀部右側を下向きに力を加えて停止させると、シート３０が２つの弾性部材４０の弾力により水平状態に戻る。
【００２６】
図７を参照する。図７に示すように、つまみ５１を回転させてリードスクリュー５３により位置決めリング５２を上方へ当接させる際、位置決めリング５２上の位置決め凹槽５４が軸スリーブ３１の下側に当接されると、シート３０が水平状態に位置決めされる。このように、両手でホルダ２１の２つの握持部２３を握って相対的に上下に変位させると、筋肉及び腱が伸び、筋肉及び腱を伸ばすのに必要な力が、シート３０の揺動作用により減少するため、この状態は、運動初心者及びリハビリを行っている患者にとって好ましい。
【００２７】
図８を参照する。図８に示すように、本考案の他の実施形態に係る身体伸長器は、上述の実施形態と略同じであるが、立杆１２がローラ杆１８と、２つのローラ１８０とを含む点で異なる。ローラ杆１８は、水平状に配設され、延伸管１７の前端が中央部に連結固定される。２つのローラ１８０は、ローラ杆１８の両端部の前側に回転自在に接続され、２つのローラ１８０の周面には、車輪溝が形成される。握持部材２０は、２つのローラ１８０の車輪溝の上側に巻き掛けられ、両端が２つのローラ１８０の互いに対をなす外側に設けられたロープ２５を含む。２つの握持部２３は、ロープ２５の両端の２つのハンドルに結合される。また、ローラ杆１８上には、２つのローラ１８０の上側までそれぞれ延ばされた２つのリミッタ部材１８１が設けられ、２つのローラ１８０から外れないようにロープ２５の位置が拘束される。このように２つの握持部２３は、ロープ２５を介して２つのローラ１８０上を摺動し、上下で相対的に変位させることができる。
【００２８】
本考案の一実施形態に係る身体伸長器は、ユーザが握持部材２０を握って上下に移動させ、シート３０にユーザが座って左右に傾けて揺動させることにより、筋肉又は腱を伸ばしたりリハビリを行ったりすることができるため、少ない力で操作できる。そのためユーザは運動又はリハビリに対する興味が高まり、特にユーザの使用時間が延びて効率的に筋肉及び腱を伸ばすことができる。また、握持部材２０を利用すると、ユーザの両手の運動経路が特定範囲内に制限され、シート３０によりユーザの臀部の揺動傾斜角度が特定範囲に制限されるため、筋肉及び腱を確実に伸ばして各動作が一致し、筋肉及び腱を効果的に伸ばすことができ、特に、ユーザが力を入れすぎたときに運動障害が発生することを防いで安全性を高める。
【００２９】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００３０】
１０    フレーム
１１    ベース
１２    立杆
１３    支持杆
１４    外管
１５    内管
１６    調整ダイヤル
１７    延伸管
１８    ローラ杆
２０    握持部材
２１    ホルダ
２２    枢軸
２３    握持部
２４    結合ボルト
２５    ロープ
３０    シート
３１    軸スリーブ
３２    軸杆
３３    緩衝ブロック
４０    弾性部材
５０    位置決めモジュール
５１    つまみ
５２    位置決めリング
５３    リードスクリュー
５４    位置決め凹槽
１３０  枢着座
１３１  ねじ
１３２  ストッパ
１７０  ブッシュ
１８０  ローラ
１８１  リミッタ部材
３１０  軸ブッシュ
【図１】
0003185573.tif 000003
【図２】
0003185573.tif 000004
【図３】
0003185573.tif 000005
【図４】
0003185573.tif 000006
【図５】
0003185573.tif 000007
【図６】
0003185573.tif 000008
【図７】
0003185573.tif 000009
【図８】
0003185573.tif 000010